(57)【特許請求の範囲】
【請求項１】
槽底に形成された開口に取付けられ、排水路構成管と接続される排水口具を備えた排水装置において、
前記排水口具は、上方から前記槽底の開口周縁に当接するフランジ部と、前記開口を挿通するように配置されて、その内周により水路を形成する管状の胴部とを備え、かつ前記排水口具には、前記フランジ部の外縁側部から前記胴部の外周に亘り溝部が形成されており、
前記排水路構成管の上端には上向きフランジ部が形成され、かつ該上向きフランジ部の外縁に上方に延出する立上片が形成されており、
前記槽底には、一部下方に落ち窪んだ陥没部が形成されており、前記排水路構成管の上向きフランジ部と前記槽底との間には、前記排水路構成管の上向きフランジ部と前記槽底の開口周縁の下面との間と、前記排水路構成管の立上片と前記槽底の陥没部との間と、で挟圧される断面略Ｌ字状かつ環状のパッキンが配置されており、
前記溝部と、該溝部と対向する前記槽底の開口周縁と前記パッキンと前記排水路構成管の内周と、により、前記フランジ部における前記槽底の近傍から前記排水路構成管側へと通じる導水路が構成されており、
前記パッキンは、前記排水路構成管の立上片と前記槽底の陥没部との間で挟圧される立上部を備え、該立上部には、その外周縁に亘って突起が形成されており、自然状態において前記パッキンの立上部の外周縁が前記排水路構成管の立上片の内周より大きくなっていることを特徴とする排水装置。
【請求項２】
前記排水口具の胴部と前記排水路構成管上端とは、互いの接続面に形成されたネジ部が螺合されることで接続されるようになっており、前記溝部は、前記排水口具の胴部のネジ部に交差して形成されていることを特徴とする請求項１に記載の排水装置。
【請求項３】
前記排水装置は、前記排水口具の周囲の前記槽底に対して着脱自在に閉塞可能な栓部材を備えていることを特徴とする請求項１または２に記載の排水装置。
【発明の詳細な説明】
【技術分野】
【０００１】
本発明は、浴槽や洗面台等の槽体に設けられた開口に取付けて槽体と排水管とを連通させる排水装置に関する。
【背景技術】
【０００２】
浴槽や洗面台等の排水口は、槽の底に設けられた開口に、排水管に接続される排水口具が取付けられて構成されるのが一般的である。従来、排水口具は、槽底の開口周縁に当接するフランジ部と槽底の開口を挿通するように配置される胴部とを備える第１部材と、排水管側に配置されて排水管を一部構成する第２部材と、から構成され、第１部材の胴部と第２部材とにそれぞれ形成されたネジ部を螺合させることにより、第１部材のフランジ部と第２部材とにより槽の底を挟みこむようにして槽に対して固定されている（例えば、特許文献１参照）。
【先行技術文献】
【特許文献】
【０００３】
【特許文献１】特開２００２−５４２０６号公報（第３頁、第２図）
【発明の概要】
【発明が解決しようとする課題】
【０００４】
特許文献１のような排水口具は、第１部材のフランジ部と槽底の開口周縁との間に止水用のパッキンが挟み込まれており、このパッキンの厚みにより第１部材のフランジ部と槽底との間に隙間が生じ易くなっている。そのため、この排水口具と槽底との隙間及びその周囲に入り込んだ水が留まってしまい、水垢やゴミ等が堆積し易く、またカビ発生の原因となり、美観に優れないばかりか不衛生であるという問題があった。
【０００５】
本発明は、このような問題点に着目してなされたもので、排水口具周辺への水垢やゴミ等の堆積及びカビの発生を防止した排水装置を提供することを目的とする。
【課題を解決するための手段】
【０００６】
前記課題を解決するために、本発明の排水装置は、
槽底に形成された開口に取付けられ、排水路構成管と接続される排水口具を備えた排水装置において、
前記排水口具は、上方から前記槽底の開口周縁に当接するフランジ部と、前記開口を挿通するように配置されて、その内周により水路を形成する管状の胴部とを備え、かつ前記排水口具には、前記フランジ部の外縁側部から前記胴部の外周に亘り溝部が形成されており、
前記排水路構成管の上端には上向きフランジ部が形成され、かつ該上向きフランジ部の外縁に上方に延出する立上片が形成されており、
前記槽底には、一部下方に落ち窪んだ陥没部が形成されており、前記排水路構成管の上向きフランジ部と前記槽底との間には、前記排水路構成管の上向きフランジ部と前記槽底の開口周縁の下面との間と、前記排水路構成管の立上片と前記槽底の陥没部との間と、で挟圧される断面略Ｌ字状かつ環状のパッキンが配置されており、
前記溝部と、該溝部と対向する前記槽底の開口周縁と前記パッキンと前記排水路構成管の内周と、により、前記フランジ部における前記槽底の近傍から前記排水路構成管側へと通じる導水路が構成されており、
前記パッキンは、前記排水路構成管の立上片と前記槽底の陥没部との間で挟圧される立上部を備え、該立上部には、その外周縁に亘って突起が形成されており、自然状態において前記パッキンの立上部の外周縁が前記排水路構成管の立上片の内周より大きくなっていることを特徴としている。
この特徴によれば、排水口具にはフランジ部における槽底の近傍から排水路構成管側へと通じる導水路が設けられているため、フランジ部とフランジ部近傍の槽底周辺に流れた水が、この導水路から排水路構成管側に排出される。そのため、排水口具周辺に水が留まることがなく、水垢やゴミ等の堆積及びカビの発生を防止することができる。
【００１０】
前記排水口具の胴部と前記排水路構成管上端とは、互いの接続面に形成されたネジ部が螺合されることで接続されるようになっており、前記溝部は、前記排水口具の胴部のネジ部に交差して形成されていることを特徴としている。
この特徴によれば、溝部が排水口具に対して、胴部のネジ部に交差するように直接形成されていることから、排水口具の胴部と排水路構成管上端との螺合接続時の相互の角度に関わらず、導水路を周方向の全方位の任意の位置に形成することができる。
【００１１】
前記排水装置は、前記排水口具の周囲の前記槽底に対して着脱自在に閉塞可能な栓部材を備えていることを特徴としている。
この特徴によれば、栓部材は排水口具の周囲の槽底に対して閉塞されるため、前記胴部により形成される水路とフランジ部の外縁側部に設けられた導水路を同時に止水することができる。
【図面の簡単な説明】
【００１３】
【図１】実施例における排水装置が用いられる形態を示す一部破断正面図である。
【図２】排水装置を示す分解図である。
【図３】排水口具を上方から見下した上方斜視図である。
【図４】排水口具を下方から見上げた下方斜視図である。
【図５】導水路を示す一部拡大破断正面図である。
【図６】排水路構成管と槽底の開口周縁下面との間に介在されるパッキンを示す一部拡大破断正面図である。
【図７】栓装置が閉操作された状態を示す一部拡大破断正面図である。
【図８】第１の変形例における導水路を示す一部拡大破断正面図である。
【図９】第２の変形例における導水路を示す一部拡大破断正面図である。
【発明を実施するための形態】
【００１４】
本発明に係る排水装置を実施するための形態を実施例に基づいて以下に説明する。
【実施例】
【００１５】
実施例に係る排水装置につき、図１から図９を参照して説明する。以下、図１の紙面上側を排水装置の上方側として説明する。
【００１６】
排水装置１は浴槽や洗面所等の槽に取付けられ、槽内から排水する際の水路を構成し、かつ水路の開閉を行えるようにした装置である。図１に示されるように、ここでは洗面所の槽２に取付けられた場合を例に取り説明する。
【００１７】
槽２の底（以下、槽底２ａという。）には、一部下方に落ち窪んだ陥没部２ｂが形成されており、この陥没部２ｂに排水用の開口２ｃ（図２参照）が穿設されている。そして、この開口２ｃ周囲の槽底２ａを上下から挟み込むようにして排水装置１が取付けられる。図２に示されるように、排水装置１は、排水口具３，排水路構成管４，パッキン５，栓装置６から主に構成されている。
【００１８】
図１及び図２に示されるように、排水路構成管４は、オーバーフローホース７及び下流に続く排水管（図示せず）と接続される管状部材であり、上端部４ａの内周４ｂにはネジ部が形成され、更にネジ部より先端部分には上向きのフランジ部４ｃ（以下、上向きフランジ部４ｃという。）が形成されている。排水路構成管４のネジ部には、排水口具３の胴部３ａの外周３ｂに形成されたネジ部が螺合するようになっている。また、排水路構成管４の上端部４ａ先端の上向きフランジ部４ｃと槽底２ａの開口２ｃの周縁下面２ｅとの間には、パッキン５が介在するようになっている。
【００１９】
排水口具３は、前記ネジ部を有する胴部３ａと胴部３ａの上端に形成されたフランジ部３ｃとから主に構成されている。胴部３ａは管状を成して槽底２ａの開口２ｃを挿通するように配置され、フランジ部３ｃはその下面３ｄが槽底２ａの開口２ｃの周縁上面２ｄに当接するようになっている。また、フランジ部３ｃの上面３ｅには、内側に落ち込むようなテーパが形成されている。胴部３ａはその内周が排水路構成管４へ排水を流下させる水路として機能している。
【００２０】
図３及び図４に示されるように、排水口具３は、その側部に溝部８が１条形成されている。溝部８は、フランジ部３ｃの側面３ｆの高さ方向略中央から下面３ｄにかけて一部切り欠かれた切欠部９と、胴部３ａの外周３ｂに形成されたネジ部と交差するように胴部３ａの管軸方向に亘って形成された縦溝１０とが交わって構成されている。尚、縦溝１０の底面１０ａは、ネジ部の谷部分１６より若干深くなるように形成されている（図５参照）。
【００２１】
図４に示されるように、切欠部９は略三角形に形成されており、その内の１つの角部９ａが胴部３ａの外周３ｂに形成された縦溝１０と交わり、その他２つの角部９ｂ，９ｃがフランジ部３ｃの側面３ｆ側に位置するようになっている。
【００２２】
図５に示されるように、排水口具３と排水路構成管４とを螺合接続した状態において、溝部８，槽底２ａの開口２ｃの周縁，排水路構成管４及びパッキン５とにより導水路１１が構成される。
【００２３】
詳しくは、排水口具３のフランジ部３ｃに設けられた切欠部９の内周面９ｄと槽底２ａの開口周縁上面２ｄとに四方を囲まれて導水路１１の両入口１１ａが構成され、更に胴部３ａに形成された縦溝１０の底面１０ａ及び内側面１０ｂ，１０ｂと槽底２ａの開口２ｃ，パッキン５の内周面５ａ及び排水路構成管４における排水口具３と接続される内周４ｂとに四方を囲まれて、導水路１１の主管部１１ｂが構成されている。このように、切欠部９がフランジ部３ｃの下方側に開口して設けられているため、フランジ部３ｃにおける最下点で水を導水路入口１１ａに誘導でき、フランジ部３ｃとフランジ部３ｃ近傍の槽底２ａとの間に入り込んだ水を確実に排出することができる。
【００２４】
また、縦溝１０が排水口具３に対して、胴部３ａの外周３ｂに形成されたネジ部に交差するように直接形成されていることから、排水口具３の胴部３ａと排水路構成管４との螺合接続時の相互の角度に関わらず、導水路１１を周方向の全方位の任意の位置に形成することができ、設計自由度が高い。
【００２５】
実際の洗面台の利用時における排水の流れを図１から図５を用いて説明する。まず、図示しない蛇口から流れ出た水は、槽底２ａに形成された傾斜２ｆ（図２参照）により陥没部２ｂに誘導される。こうして集められた水の大部分は、フランジ部３ｃの上面３ｅに設けられたテーパにより排水口具３の胴部３ａの内周面により構成された水路１２を通して排水路構成管４側に排水される。このとき、水の表面張力により胴部３ａ内側に形成された水路１２に移動しなかった微量の水は、陥没部２ｂと排水口具３のフランジ部上面外側縁３ｈとの僅かな隙間α（図５参照）に一時的に留まる場合がある。
【００２６】
この陥没部２ｂとフランジ部上面外側縁３ｈとの隙間αに一時的に留まった水は、時間経過により陥没部内面２ｇとフランジ部側面３ｆとの隙間βに入り込む。このとき、前述したように、切欠部９は２つの角部９ｂ，９ｃがフランジ部３ｃの側面３ｆ側に位置するような略三角形に形成されているため、陥没部内面２ｇとフランジ部側面３ｆとの間に入り込んだ水が導水路入口１１ａに流入しやすくなっている。
【００２７】
続いて、導水路入口１１ａに集められた水が導水路主管部１１ｂを通して排水路構成管４側に排水される。詳しくは、略三角形に形成された導水路入口１１ａから、比較的細い導水路主管部１１ｂに水が流下されるためベンチュリー効果が生じ、導水路主管部１１ｂ内における流下速度が加速化される。そのため、導水路入口１１ａ付近の水を引き込む力が大きくなり、陥没部内面２ｇとフランジ部側面３ｆとの隙間β付近に留まった水、及び隙間βと連通する陥没部２ｂとフランジ部上面外側縁３ｈに留まった水を効率よく引き込んで、排水路構成管４側に排水させることができる。
【００２８】
また、図５に示されるように、排水路構成管４に形成された上向きフランジ部４ｃと排水口具３のフランジ部３ｃとにより槽底２ａの開口周縁を挟むようにして接続されることから、排水口具３と槽底２ａの開口周縁上面２ｄとで構成される導水路入口１１ａを除いて隙間なく当接させ、排水口具３と槽底２ａとの周囲に位置する水を導水路１１に効率的に集めることができる。
【００２９】
また、排水路構成管４の上向きフランジ部４ｃに上方に延出するように形成された立上片４ｅと、槽底２ａの陥没部２ｂと、により万一の漏水の導線が上向きとなることにより、漏水に要する水位を高くすることができるとともに、この立上片４ｅと陥没部２ｂとの間をパッキン５により止水するため、確実に漏水を防止することができる。
【００３０】
図６（ａ）に示されるように、排水路構成管４の上向きフランジ部４ｃと槽底２ａの開口周縁下面２ｅとの間にはパッキン５が介在しており、排水口具３と排水路構成管４とが、前述の螺合接続により相互に近接せしめられた際に、図６（ｂ）に示されるように、排水路構成管４の上向きフランジ部４ｃの上面４ｄと槽底２ａの開口周縁下面２ｅとの間でパッキン５が挟圧されて変形するようになっている。そのため、導水路１１の主に主管部１１ｂを通って流れる水が、排水路構成管４の上向きフランジ部４ｃの上面４ｄと槽底２ａの開口周縁下面２ｅとの間から外部に漏れ出ないようになっている。
【００３１】
また、パッキン５は外縁が立ち上がった断面略Ｌ字状となっており、その立上部５ｂが、排水路構成管４の上向きフランジ部４ｃに形成された立上片４ｅと当接するようになっている。更に、自然状態においてパッキン５の立上部５ｂには、その外周縁に亘って突起５ｃが形成されて、パッキン５の立上部５ｂの外周縁が水路構成管４の立上片４ｅの内周より大きくなっている。そのため、パッキン５が水路構成管４の立上片４ｅ内で圧縮変形されて槽底２ａの陥没部２ｂに対して圧接されるようになっており、排水路構成管４と槽底２ａとの間の漏水がより確実に防止されることになる。
【００３２】
図１に示されるように、栓装置６は、栓部材１３と栓部材１３を上下動させる動作部１４とを備えて成る。栓部材１３は、その下部の側縁に１条の溝１３ａが形成されており、この溝１３ａにパッキン１５が嵌合している。図７に示されるように、パッキン１５は、その外縁が成す外径ｘ１が排水口具３のフランジ部３ｃの外径ｘ２より大きく形成されている。そのため、栓装置６の閉状態では、栓部材１３は陥没部内面２ｇに密接することにより、排水口具３の胴部３ａによる水路１２と、陥没部内面２ｇとフランジ部側面３ｆの隙間βを連通する導水路１１（図５参照）とを同時に閉塞することができる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、排水装置１に設けられる導水路１１は、排水口具３のフランジ部３ｃと該フランジ部３ｃの上方の槽底２ａ周辺に位置する水を排水路構成管４側に排出可能な構成であれば、上述した構成に限らず、例えば以下に示す第１及び第２の変形例のような構成であってもよい。
【００３５】
図８に示されるように、第１の変形例における排水口具３’は、そのフランジ部３ｃの側面３ｆからフランジ部３ｃ及び胴部３ａ内を通り、胴部３ａの内周３ｇに貫通するトンネル状の孔１１’が形成されており、この孔１１’が前記導水路として機能するようになっている。
【００３６】
図９に示されるように、第２の変形例における排水口具３”は、そのフランジ部３ｃの上面３ｅと側面３ｆとの境目付近から、前記フランジ部上面３ｅに設けられたテーパより深く落ち込んで形成された溝１１”が設けられており、この溝１１”が前記導水路として機能するようになっている。
【００３７】
また、例えば、図８及び図９に示した変形例の導水路１１’及び導水路１１”のように、導水路を通った水が排水口具３の胴部３ａの内周３ｇで形成された水路１２に排水されるような構成である場合、排水口具３の胴部３ａと排水路構成管４との間の漏水を防止する用途で用いられるパッキン５を省略した構造としてもよい。
【００３８】
また、排水装置１に設けられる導水路１１は１本に限らず、２本以上の複数本設けられてもよい。更に、導水路１１の入口１１ａを複数形成し、これらが１本の導水路１１の主管部１１ｂに合流するような構成であってもよい。
【００３９】
また、排水路構成管４は、排水口具３と螺合接続される構造を有して下流側で排水管（図示せず）と接続される管部材であるが、この構造に限らず、前記排水口具３と接続される部材と排水管と接続される部材とを別体としてもよいし、排水管と一体に形成される構成であってもよい。
【００４０】
また、排水口具３と排水路構成管４との接続は螺合に限らず、例えば係合によるものでもよい。
【符号の説明】
【００４１】
１                排水装置
２                槽
２ａ              槽底
２ｂ              槽底陥没部
２ｃ              開口
２ｄ              開口周縁上面
２ｅ              開口周縁下面
２ｇ              陥没部内面
３                排水口具
３ａ              胴部
３ｃ              フランジ部
３ｅ              フランジ部上面
３ｆ              側面
３ｇ              内周
３ｈ              フランジ部上面外縁部
４ｃ              フランジ部
４                排水路構成管
５                パッキン
６                栓装置
８                溝部
９                切欠部
９ｄ              内周面
１０              縦溝
１０ａ            縦溝底面
１１              導水路
１１ａ            導水路入口
１１ｂ            導水路主管部
１２              水路
１３              栓部材
１３ａ            溝
１４              動作部
１５              パッキン
１６              谷部分
ｘ１              パッキン外径
ｘ２              フランジ部外径
α                槽底陥没部とフランジ部上面外縁部との隙間
β                槽底陥没部内面とフランジ部側面との隙間
【図１】
0006419509.tif 000002
【図２】
0006419509.tif 000003
【図３】
0006419509.tif 000004
【図４】
0006419509.tif 000005
【図５】
0006419509.tif 000006
【図６】
0006419509.tif 000007
【図７】
0006419509.tif 000008
【図８】
0006419509.tif 000009
【図９】
0006419509.tif 000010